(57)【要約】  絵画用額縁のような物体を懸吊するためのフックデバイス（２）はハウジング（１０）を備え、これは、フックデバイス（２）のキャリアがハウジング（１０）を通じて延伸することを可能にするための内部空間を有し、通常、懸吊フックとして機能するように設計されている突起を設けられている。フックデバイス（２）は、ハウジング（１０）をキャリア上に固定するためのクランプ機構をさらに備え、クランプ機構は、形態拘束によって軸方向においてハウジング（１０）内に保持されている、先細り内面（２１）を有する第１の中空シリンダ（２０）を備える。フックデバイス（２）の組み立て過程の間、第１の中空シリンダ（２０）は、軸方向に動かされるフックデバイス（２）の他の要素（３０、４０、５０）とは異なり、シリンダ（２０）を開口（１７）を通じて半径方向において動かすことによって、ハウジング（１０）内に挿入される。
2015527538.tif 000002
【特許請求の範囲】
【請求項１】
物体（３）を懸吊するためのフックデバイス（２）であって、ハウジングと、前記ハウジング（１０）をキャリア（４）に固定するためのクランプ機構とを備え、前記ハウジング（１０）は、前記フックデバイス（２）のためのキャリア（４）が前記ハウジング（１０）を通じて延伸することを可能にするための内部空間を有し、前記クランプ機構は、形態拘束によって軸方向において前記ハウジング（１０）内に保持される、先細り内面（２１）を有する第１の中空シリンダ（２０）を備える、フックデバイス。
【請求項２】
前記ハウジング（１０）には、前記クランプ機構の前記第１の中空シリンダ（２０）の位置に開口（１７）が設けられており、前記第１の中空シリンダ（２０）の外面（２２）の一部分は、前記開口（１７）を通じて前記ハウジング（１０）の外部からアクセス可能である、請求項１に記載のフックデバイス（２）。
【請求項３】
前記クランプ機構は、第２の中空シリンダ（３０）と、前記第２の中空シリンダ（３０）の開口（３５）内に位置するボール（３１）と、前記第２の中空シリンダ（３０）を軸方向、すなわち、前記第１の中空シリンダ（２０）の内面（２１）が収束する方向に付勢するために前記ハウジング（１０）内に配置されている付勢手段（４０）とを備え、前記第２の中空シリンダ（３０）は、軸方向において前記ハウジング（１０）内に可動に配置されており、前記第１の中空シリンダ（２０）を通じて延伸し、半径方向において前記第２の中空シリンダ（３０）の外側から前記第２の中空シリンダ（３０）の内部空間（３７）へのアクセスを可能にする前記開口（３５）を設けられている、請求項１または２に記載のフックデバイス（２）。
【請求項４】
前記付勢手段はコイルバネ（４０）を含む、請求項３に記載のフックデバイス（２）。
【請求項５】
前記クランプ機構を解放するための作動手段であって、前記ハウジング（１０）に対して可動に配置され、ユーザによって作動される場合に、前記付勢手段（４０）の動作に抗して、前記第２の中空シリンダ（３０）の軸方向の運動を確立するために前記第２の中空シリンダ（３０）と接している作動要素（５０）を含む、作動手段をさらに備える、請求項３または４に記載のフックデバイス（２）。
【請求項６】
前記第２の中空シリンダ（３０）は、前記作動要素（５０）と接していることに基づいて、前記ハウジング（１０）から抜け落ちないように固定されている、請求項５に記載のフックデバイス（２）。
【請求項７】
前記作動要素（５０）は細長いアーム（５１）を有し、前記ハウジング（１０）には空間（１４）が設けられており、前記空間（１４）の内面（１５）には段差（１６）が設けられており、前記作動要素（５０）の前記アーム（５１）の端部には、前記付勢手段（４０）の影響下で前記作動要素（５０）の非作動位置において前記ハウジング（１０）内の前記段差（１６）と係合する太い部分（５２）が設けられている、請求項６に記載のフックデバイス（２）。
【請求項８】
前記第２の中空シリンダ（３０）の外径は、前記第２の中空シリンダ（３０）の長さに沿って一定である、請求項７に記載のフックデバイス（２）。
【請求項９】
前記ハウジング（１０）には雌ネジ山がない、請求項１〜８のいずれかに記載のフックデバイス（２）。
【請求項１０】
前記ハウジング（１０）はプラスチックから製造される、請求項１〜９のいずれかに記載のフックデバイス（２）。
【請求項１１】
前記第１の中空シリンダ（２０）および前記第２の中空シリンダ（３０）の両方が金属（合金）から作成される、請求項１〜１０のいずれかに記載のフックデバイス（２）。
【請求項１２】
前記ハウジング（１０）には、懸吊フックとしての役割を果たすように適合されている突起（１１）が設けられている、請求項１〜１１のいずれかに記載のフックデバイス（２）。
【請求項１３】
物体（３）を懸吊するためのフックデバイス（２）を組み立てるための方法であって、
ハウジング（１０）であり、前記フックデバイス（２）のキャリア（４）が前記ハウジング（１０）を通じて延伸することを可能にするための内部空間を有する、ハウジング（１０）が提供され、
さらに、先細り内面（２１）を有する第１の中空シリンダ（２０）、第２の中空シリンダ（３０）及び前記第２の中空シリンダ（３０）の開口（３５）内に位置するいくつかのボール（３１）、バネ要素（４０）、及び、細長いアーム（５１）を有する作動要素（５０）が提供され、
前記第１の中空シリンダ（２０）が前記ハウジング（１０）内の開口（１７）を通じて前記ハウジング（１０）内に挿入され、
前記バネ要素（４０）、および、前記ボール（３１）を有する前記第２の中空シリンダ（３０）が前記ハウジング（１０）内の別の開口を通じて前記ハウジング（１０）内に続いて挿入され、
前記作動要素（５０）の前記アーム（５１）が前記ハウジング（１０）内のまた他の開口において前記ハウジング（１０）内に挿入される、方法。
【請求項１４】
前記第１の中空シリンダ（２０）が、前記ハウジング（１０）内に挿入する過程において半径方向に動かされる、請求項１３に記載の方法。
【請求項１５】
前記ハウジング（１０）に対して第１の方向に動くことを通じて、前記第１の中空シリンダ（２０）が前記ハウジング（１０）内に挿入され、前記ハウジング（１０）に対して第２の方向に動くことを通じて、前記バネ要素（４０）、前記ボール（３１）を有する前記第２の中空シリンダ（３０）、および前記作動要素（５０）の前記アーム（５１）が前記ハウジング（１０）内に挿入される、請求項１３または１４に記載の方法。
【発明の詳細な説明】
【技術分野】
【０００１】
本発明は、ハウジングであって、フックデバイスのためのキャリアが当該ハウジングを通じて延伸することを可能にするための内部空間を有する、ハウジングと、ハウジングをキャリアに固定するためのクランプ機構とを備える、物体を懸吊するためのフックデバイスであって、クランプ機構は先細り内面を有する中空シリンダを備える、フックデバイスに関する。
【背景技術】
【０００２】
言及されているようなフックデバイスは慣例において既知である。概して、フックデバイスは、天井または壁に取り付けられているレール、および、フックデバイスのためのキャリアとともに使用するのに適しており、キャリアは、ワイヤであって、通常その一端において当該キャリアワイヤをレールに接続し、当該キャリアワイヤをレールから懸垂するための要素を有する、ワイヤを備える。フックデバイスによって、絵画用額縁のような物体をキャリアワイヤに接続することができる。その目的のために、フックデバイスは、キャリアワイヤにクランプされ、物体はフックデバイスの一部である懸吊フックに懸吊される。キャリアワイヤがフックデバイスを通じて延伸することを可能にする目的のために、フックデバイスのハウジングおよび他の要素に貫通孔が、貫通孔全体がフックデバイス内に具現化されるように設けられる。
【０００３】
フックデバイスの既知の実施形態において、フックデバイスのクランプ機構は第２の中空シリンダを備え、第２の中空シリンダは、軸方向においてハウジング内に可動に配置されており、第１の中空シリンダを通じて延伸し、半径方向において第２の中空シリンダの外側から第２の中空シリンダの内部空間へのアクセスを可能にする開口を設けられており、クランプ機構は、第２の中空シリンダの開口内に位置するボールと、第２の中空シリンダを軸方向、すなわち、第１の中空シリンダの内面が収束する方向に付勢するためのコイルバネとをも備える。
【０００４】
明瞭にするために、中空シリンダは一般的に既知である物体であることに留意されたい。中空シリンダの実際的な例は、一定の長さの管である。「軸方向」および「半径方向」のような用語が本明細書において使用されるとき、これらの用語は、一般的な様式で円筒形状に関係付けられるものと仮定される。したがって、「軸方向」とは、長手方向軸、または、シリンダの回転対称軸が延伸する方向であり、「半径方向」は、長手方向軸または回転対称軸と交差する、当該軸に垂直な仮想平面内の方向である。
【０００５】
クランプ機構を解放するために、フックデバイスは、ハウジングに対して可動に配置され、ユーザによって作動される場合に、コイルバネの動作に抗して、第２の中空シリンダの軸方向の運動を確立するために第２の中空シリンダと接している作動要素を備える。作動要素は細長いアームを有し、ハウジングには空間が設けられており、当該空間の内部表面には段差が設けられており、作動要素のアームの端部には、コイルバネの影響下で作動要素の非作動位置においてハウジング内の段差と係合する太い部分が設けられている。この構成に基づいて、太い部分は段差を越えて動くことができないため、作動要素がハウジングから抜け落ちることが防止される。好ましくは、作動要素は、フックデバイスの組み立て中、アームがハウジングの空間内へますます深くへと動くときに、太い部分が段差を通過し、アームが再びその元の形状をとることができるまで、アームが若干変形されるほどの、弾性特性を有する。
【０００６】
上記に説明されているようなフックデバイスにおいて、クランプ動作は、ボールがキャリアワイヤに対して押圧されるボールの構成を組み込む。そのような構成は、コイルバネが第２の中空シリンダを、第１の中空シリンダの内面が近づく方向と同じ方向に動くように付勢するという事実に基づいて得られる。この事実によって、第２の中空シリンダの長手方向軸の周囲の仮想円の円周に位置決めされるボールが、利用可能な空間が低減する方向に動くように付勢される。キャリアワイヤがフックデバイスを通じて延伸する状況において、ボールは、それらが一方の第１の中空シリンダの先細り内面と、他方のキャリアワイヤとの間で押圧される位置に保持される。この状況において、キャリアワイヤおよびフックデバイスは、フックデバイスから懸吊されている物体によってフックデバイスに与えられている力が、キャリアワイヤに与えられているボールの押圧によって決定される最大値を超えない限り、キャリアワイヤの長手方向において互いに対して動くことができない。
【０００７】
キャリアワイヤおよびフックデバイスが互いに対して動くことができるように、フックデバイスのクランプ機構を解放する目的のために、作動要素が作動位置まで動かされる必要がある。この位置において、作動要素によって、コイルバネの動作に抗して第２の中空シリンダに圧力が与えられる。結果として、第２の中空シリンダは、第１の中空シリンダの内面が離れる方向に動く。この過程において、ボールはより多くの空間を与えられ、キャリアワイヤに対するボールのグリップが失われる。作動要素が圧力の影響を受けなくなるとすぐに、第２の中空シリンダおよびボールの位置が再びコイルバネによって決定され、ボールは第１の中空シリンダの内部の低減した空間の位置まで動かされる。したがって、概して、クランプ機構は、もう一方の中空シリンダの内部空間を通じて動く中空シリンダによって運ばれるボールのセットを利用し、ボールのための空間はそれらのシリンダの相互の位置に応じて増減し、それによって、キャリアワイヤを挿入することができる空間である、ボールによって包囲される空間が増減する。
【０００８】
既知のフックデバイスにおいて、第２の中空シリンダの外面は、ボールが存在し、第２の中空シリンダが第１の中空シリンダによって包囲されている位置において先細りになっている。第２の中空シリンダの外周が低減する方向は、第１の中空シリンダの内部空間が近づく方向と同じである。デフォルト位置、すなわち、作動要素が非作動位置にある位置において、第２の中空シリンダの外面は、第１の中空シリンダの内面と接している。言及されているような表面の特定の形状に基づいて、コイルバネの影響下で第２の中空シリンダが達することができる位置の最大値が決定される。第１の中空シリンダはネジ山によってハウジング内部の適所に保持され、ここで、第１の中空シリンダには雄ネジ山が設けられており、ハウジングには雌ネジ山が設けられている。フックデバイスの組み立て中、まずコイルバネ、第２の中空シリンダおよびボールがハウジング内に挿入される。その後、第１の中空シリンダが第２の中空シリンダとハウジングとの間に挿入される位置に達するまで、第１の中空シリンダが第２の中空シリンダの上にスライドされる。その時点において、第１の中空シリンダは、第１の中空シリンダおよびハウジングの互いに対する回転運動の影響下でハウジングに接続され、ここで、第１の中空シリンダの雄ネジ山とハウジングの雌ネジ山とが互いと係合する。第１の中空シリンダがハウジング内で正しい位置にくるとすぐに、第２の中空シリンダおよびコイルバネがハウジングから抜け落ちることが防止される。フックデバイスを組み立てる過程の最後のステップは、作動要素のアームを、それらのアームを受け入れるように意図されているハウジングの空間内に挿入し、スナップ留め動作が実現してそれらのアームの端部に存在する太い部分が空間内部の段差の後ろに位置するまで、アームをハウジング内部のますます深くへと動かすことによって、作動要素をハウジング上に配置することを含む。
【０００９】
第１の中空シリンダに雄ネジ山がない、既知のフックデバイスの変形形態が存在することに留意されたい。そのような変形形態において、雄ネジ山を有する追加の部品が利用され、追加の部品は、フックデバイスの組み立て過程の間に第１の中空シリンダおよびフックデバイスの他の要素がハウジング内に挿入された後に、ハウジングに接続され、それによって、第１の中空シリンダが最終的にハウジング内に保持される。したがって、そのような変形形態において、ハウジングは、依然として雌ネジ山を設けられる必要がある。部品をハウジングにネジ止めすることによって以外に、たとえば、部品をハウジング内に圧入することによって、追加の部品がハウジングに接続されることも可能である。いずれにせよ、第１の中空シリンダがハウジング内に保持されており、他の要素のいずれもハウジングから抜け落ち得ない、フックデバイスの最終状態を実現するためにツールが使用される必要があり、力が加えられる必要がある。
【００１０】
既知のフックデバイスは使用しやすく、信頼性のある性能を有する。ユーザがフックデバイスとキャリアワイヤとの間の接続を有することを所望する場合、ユーザがする必要のあるすべてのことは、フックデバイスを通じてキャリアワイヤを挿入してキャリアワイヤおよびフックデバイスを所望の相互の位置が得られるまで互いに対して動かしながら、作動要素に圧力を与え、作動要素を作動位置に保持することである。ユーザが作動要素を解放するとすぐに、フックデバイスのクランプ機構が作動され、クランプ機構のボールによってキャリアワイヤに圧力が与えられる。概して、フックデバイスの設計は、フックデバイスのデフォルト位置が、クランプ機構が実際にクランプ動作を実行する位置であるようなものである。作動要素によって、フックデバイスのユーザは、キャリアワイヤをフックデバイスに挿入するかもしくはフックデバイスから取り外すことができる状況、ならびに／または、キャリアワイヤおよびフックデバイスの相互の位置を所望に応じて調整することができる状況を実現するために、クランプ機構を解放することを選択することができる。
【００１１】
既知のフックデバイスは信頼性があり、ユーザフレンドリな製品であるが、改善が必要とされている。ネジ山を利用することによって、フックデバイスの製造過程の複雑さおよびフックデバイスのコストを増加させる。フックデバイスのコストを増加させる別の要因は、フックデバイスの要素が金属または金属合金、たとえば、真鍮から作成されるという事実である。特に、第１の中空シリンダとハウジングとの間のネジ山接続が、フックデバイスによって支持されている物体によって、第１の中空シリンダがその一部であるクランプ機構に与えられる力に耐えることができるように、フックデバイスのハウジングは相対的に強靭な材料から作成される必要がある。
【発明の概要】
【発明が解決しようとする課題】
【００１２】
本発明の目的は、より容易に製造され、既知のフックデバイスよりも安価であるフックデバイスを提供することである。
【課題を解決するための手段】
【００１３】
本目的は、第１の中空シリンダが形態拘束によって軸方向においてハウジング内に保持されるフックデバイスによって達成される。このようにして、第１の中空シリンダとハウジングとの間の非常に信頼性のある接続が得られ、ネジ山は必要なく、金属（合金）のような相対的に強靭な材料をハウジングに使用する必要はない。本発明の基礎となる見識によれば、クランプ機構の中空シリンダおよびコイルバネの両方を、シリンダおよびバネの軸方向である同様の方向においてハウジング内に挿入するという概念から解放されることが可能である。本発明の成果は、第２の中空シリンダが挿入される前に第１の中空シリンダを半径方向においてハウジングに挿入することを含む、別の可能性が認識されることである。有利な効果は、形態拘束に基づく第１の中空シリンダとハウジングとの間の接続を実現することが可能であることである。この点において、第１の中空シリンダが形態拘束によって軸方向において保持されるという事実が関係し、これは、物体がフックデバイスによって支持されるときに与えられる力がまさにその方向において作用し、同じことが、第２の中空シリンダに与えられる付勢力に当てはまり、また、クランプ機構が解放されるときに反対方向において第２の中空シリンダに与えられる力にも当てはまるためである。
【００１４】
さらに、作動要素に機能を追加する可能性が認識されることが、本発明の成果である。特に、第２の中空シリンダをハウジングから抜け落ちないように固定するのに、作動要素を使用することができることが分かっている。それゆえ、もはや第１の中空シリンダがこの機能を実行する必要はない。さらに、第２の中空シリンダはもはや外面に先細り部分を有する必要はなく、第２の中空シリンダの外径が第２の中空シリンダの長さに沿って一定である、第２の中空シリンダの設計を有することが可能である。言うまでもないことだが、そのような相対的に単純な設計はコストの削減を伴う。
【００１５】
製造過程の間に既知のフックデバイスとは別様に第１の中空シリンダがハウジング内部の適所に置かれることを可能にすることができるようにするために、ハウジングに、シリンダのその位置にある開口が設けられることが実際的である。そのような開口を通じて第１の中空シリンダがハウジング内に挿入されると、第１の中空シリンダの外面の一部分が、開口を通じてハウジングの外部からアクセス可能である。本発明の枠組みの中で、第１の中空シリンダがハウジング内部に配置されると、任意の適切な方法で開口を閉じることが可能であるが、閉鎖手段の適用を省略し、フックデバイスの要素の数を最小限にとどめることも可能である。
【００１６】
ハウジングと第１の中空シリンダとの間の接続の性質が形態拘束によって決定されるという事実に基づいて、ハウジングから雌ネジ山をなくすことができ、ハウジングを金属（合金）の代わりにプラスチックから製造することができ、それによって、コストを節約することができる。なお、クランプ機構の２つの中空シリンダの両方がボールと直接接するという事実に鑑みて、２つのシリンダが金属を含むことが好適である。
【００１７】
全体として、本発明が適用されると、フックデバイスがユーザによって取り扱われるべきである様式が関連する限りにおいては、既知のフックデバイスから逸脱することのないフックデバイスが得られる。したがって、すでに既知のフックデバイスを知っているユーザは、本発明によるフックデバイスをすぐに正しく利用することができる。さらに、フックデバイスのクランプ機構が機能する様式は変更されず、それによって、フックデバイスのキャリアへの接続の信頼性は損なわれない。したがって、本発明は、新たな欠点を導入することなく既知のフックデバイスに関連する問題を解決すると結論することができる。第１の中空シリンダを受け入れ、第１の中空シリンダがハウジング内部の正確な位置に達するために新たな追加の開口がハウジングに設けられる、第１の中空シリンダが設計されてハウジング内に導入される新規の様式に起因して、フックデバイスをより安価にすることができ、製造過程をより単純にすることができる。
【００１８】
本発明は、物体を懸吊するためのフックデバイスを組み立てるための方法にも関し、フックデバイスのキャリアがハウジングを通じて延伸することを可能にするための内部空間を有するハウジングが提供され、さらに、先細り内面を有する第１の中空シリンダ、第２の中空シリンダ、および、第２の中空シリンダの開口内に位置するいくつかのボール、バネ要素、ならびに、細長いアームを有する作動要素が提供され、第１の中空シリンダがハウジング内の開口を通じてハウジング内に挿入され、バネ要素、および、ボールを有する第２の中空シリンダがハウジング内の別の開口を通じてハウジング内に続いて挿入され、作動要素のアームがハウジング内のまた他の開口においてハウジング内に挿入される。
【００１９】
特に、本発明によれば、第１の中空シリンダが、ハウジング内に挿入する過程において半径方向に動かされることが有利である。これによって、別の方向、特に軸方向において、第１の中空シリンダを形態拘束によってハウジング内に保持することができる構造が可能になる。
【００２０】
フックデバイスを組み立てる実用的方法において、ハウジングに対して第１の方向に動くことを通じて、第１の中空シリンダがハウジング内に挿入され、ハウジングに対して第２の方向に動くことを通じて、バネ要素、ボールを有する第２の中空シリンダ、および作動要素のアームがハウジング内に連続して挿入される。完全を期すために、第２の方向は第１の方向から逸脱しており、第２の方向は第１の方向に垂直とすることができることに留意されたい。
【００２１】
本発明を、物体を懸吊するためのフックデバイス、および、フックデバイスの製造過程の間にフックデバイスを組み立てるための方法の以下の説明に基づいてより詳細に説明する。本発明の特定の態様を示すために、既知のフックデバイスおよび既知のフックデバイスを組み立てるための方法に対して比較を行う。図面を参照する。等しい参照符号は等しいまたは同様の部分を示す。
【図面の簡単な説明】
【００２２】
【図１】フックデバイスの内部の一部が見えるように、フックデバイスの一区画が切り取られている、従来技術によるフックデバイスの斜視図である。
【図２】従来技術によるフックデバイスの分解図である。
【図３】フックデバイスの内部の一部が見えるように、フックデバイスの一区画が切り取られている、本発明によるフックデバイスの斜視図を示し、フックデバイスを通じて延伸するキャリアワイヤの一部分をさらに示す図である。
【図４】本発明によるフックデバイスの分解図である。
【図５】フックデバイスが、レールから懸垂されているキャリアワイヤに物体を結合するのにどのように使用され得るかを示す図である。
【図６】中空シリンダの一般概念、および、その概念において定義される方向を示す図である。
【発明を実施するための形態】
【００２３】
図１は、従来技術によるフックデバイス１を示す。フックデバイス１の様々な要素が、図２の分解図に別個に示されている。
【００２４】
さらに、図３は、本発明によるフックデバイス２を示し、一方で、フックデバイス２の様々な要素が図４の分解図に別個に示されている。図５は、既知のフックデバイス１または本発明によるフックデバイス２であってもよいフックデバイスが、レール５から懸垂されているキャリアワイヤ４に物体３を結合するのにどのように使用され得るかを示す。
【００２５】
図５を参照して、概して、フックデバイス１、２は、絵画用額縁のような物体３をキャリアワイヤ４に結合し、物体３およびキャリアワイヤ４の相互の位置を固定するのに使用されるように意図されていることに留意されたい。通常、キャリアワイヤ４は垂直に向けられる。さらに、キャリアワイヤ４は、金属またはペルロンのような合成材料を含む、物体３を担持するのに適した任意の材料から作成されてもよい。レール５はキャリアワイヤ４とともに使用され、キャリアワイヤ４の一端には、キャリアワイヤ４の横方向変位、すなわち、水平方向における変位が可能でありながら、キャリアワイヤ４の垂直位置が固定されるように、キャリアワイヤ４をレール５に結合するための要素（図示せず）が設けられる。レール５は、たとえば、物体３を壁に対して位置決めすることができるように、壁の上側に取り付けることができる。物体３は、たとえば、物体３がフックデバイス１、２に結合されることを可能にするために、ワイヤ６を有することができ、または、開口を設けられることができる。概して、レール５、キャリアワイヤ４、およびフックデバイス１、２を備える懸吊構成を使用することの利点は、ネジまたは物体３を壁上で支持するための他の手段を使用する必要がなく、それによって、壁に対する損傷が防止され、物体３の位置を所望に応じて容易に変更することができることである。
【００２６】
以下の説明において、明瞭にするために、フックデバイス１、２の通常の向き、すなわち、フックデバイス１、２のフック状突起１１の自由端１２が上に向いている、垂直キャリアワイヤ４上のフックデバイス１、２の構成と関連付けられる向きが仮定される。
【００２７】
図１および図２を参照して、本発明の背景を説明するために、ここで既知のフックデバイス１を説明する。
【００２８】
図２に明瞭に示すように、フックデバイス１はいくつかの構成要素を備える。第１に、フックデバイス１はハウジング１０を備える。上記で言及したフック状突起１１は、ハウジング１０の外面から突出している。さらに、ハウジング１０は、フックデバイス１０の他の構成要素を収容するための様々な空間を有する。第２に、フックデバイス１は、クランプ動作によってハウジングをキャリアワイヤ４に固定するための機構の一部であるいくつかの構成要素、すなわち、第１の中空シリンダ２０、第２の中空シリンダ３０、いくつかのボール３１、およびコイルバネ４０を備える。第３に、フックデバイス１は、フックデバイス１のユーザがクランプ機構を解放することを可能にするように適合されている作動要素５０を備える。
【００２９】
図６は、中空シリンダの一般概念を示す役割を果たす。その目的のために、図面は、シリンダ１００が透明であるかのように、図面に示すようなシリンダ１００の向きにおいては実際には見えないシリンダ１００の形状線を含む、中空シリンダ１００を示しており、これらの形状線は破線として図示されている。中空シリンダ１００は、一定の長さＬを有するリングと考えることができる。図示されている例において、シリンダのリング形状端面１０１、１０２は平坦であり、一方で、端面１０１、１０２の間に延伸するシリンダ１００の外面１０３は、円周を有する。シリンダ１００の内側空間１０４は、図示されている例において同様に円周を有する、シリンダ１００の湾曲した内面１０５によって境界される。
【００３０】
シリンダ１００の内側空間１０４を通る中心位置において延伸するシリンダ１００の長手方向軸である回転対称軸が、一点鎖線として図示されており、参照符号１０６によって示されている。方向が本明細書において軸方向として表されている場合、シリンダ１００の長手方向軸１０６が延伸する方向が参照される。この方向は、図６において矢印Ａによって示されている。半径方向は、長手方向軸１０６に垂直な仮想平面内の方向であり、矢印Ｒによって示されている。上記に与えられている定義が適用されると、中空シリンダ１００が軸方向に動かされるとき、長手方向軸１０６の位置は変化しないことは明らかである。図６に示すようなシリンダ１００の向きに関して、軸方向の運動は長手方向軸１０６に沿った上下運動であると言うことができる。反対に、半径方向における運動は、軸１０６を傾けることのない長手方向軸１０６の位置の機会を含む。そのような運動は、シリンダ１００の横方向または側方運動であるものとして表すこともできる。
【００３１】
第１の中空シリンダ２０は、先細り内面２１を有する。フックデバイス１の通常の向きにおいて、内面２１は上向きの方向に収束する。第１の中空シリンダ２０の外面２２には、雄ネジ山２３が設けられている。
【００３２】
第２の中空シリンダ３０は、第１の中空シリンダ２０よりも大きい長さを有し、図１に示すようなフックデバイス１の組み立てられた状態において、第１の中空シリンダ２０を通じて延伸する。第２の中空シリンダ３０の外面３３の部分３２は、第１の中空シリンダ２０の内面２１と同じ程度まで先細りになっている。フックデバイス１の通常の向きにおいて、第２の中空シリンダ３０の外面３３の先細り部分３２の半径は、上向きの方向において、すなわち、第１の中空シリンダ２０の内面２１が収束するのと同じ方向において低減している。フックデバイス１の通常の向きにおいて底面である第２の中空シリンダ３０の外面３３の先細り部分３２の一面において、外面３３内に段差３４が存在する。外面３３の先細り部分３２の位置において、第２の中空シリンダ３０には、ボール３１を収容するためのいくつかの開口３５が設けられている。図示されている例において、開口３５の数およびボール３１の数は３つである。
【００３３】
フックデバイス１の組み立てられた状態において、コイルバネ４０はハウジング１０内部に位置している。第２の中空シリンダ３０の一部も同様にハウジング１０内部に存在しており、第２の中空シリンダの底部はコイルバネ４０を通じて延伸し、コイルバネ４０は、一方の端部にあるハウジングの一部と、もう一方の端部にある第２の中空シリンダ３０の外面３３内に存在する段差３４との間に保持される。第１の中空シリンダ２０によってコイルバネ４０および第２の中空シリンダ３０の両方がハウジング１０から抜け落ちることが防止され、第１の中空シリンダは、第２の中空シリンダ３０の外面３３の先細り部分３２を包囲するように構成されており、ここで、ボール３１は第２の中空シリンダ３０の開口３５内の適所にあり、コイルバネ４０の一部分および第２の中空シリンダ３０は、第１の中空シリンダを通じて延伸する。第１の中空シリンダ３０は雄ネジ山２３によってハウジング１０に接続されており、ハウジング１０には、第１の中空シリンダ２０の雄ネジ山２３と係合するための雌ネジ山１３が設けられている。
【００３４】
コイルバネ４０の影響下で、第２の中空シリンダ３０は、フックデバイス１の通常の向きである上向きの方向に押圧される。第２の中空シリンダ３０は第１の中空シリンダ２０によって保持され、先細り表面２１、３２が互いに接する。ボール３１の間に存在する空間３６の寸法は、軸方向における第１の中空シリンダ２０に対する第２の中空シリンダ３０の位置によって決定される。第１の中空シリンダ２０の内面２１の先細り形状に起因して、第２の中空シリンダ３０の高い方の位置、すなわち、第２の中空シリンダ３０がハウジング１０からさらに突出する位置において、ボール３１の間の空間３６は、第２の中空シリンダ３０の低い方の位置、すなわち、第２の中空シリンダ３０の、コイルバネ４０の動作に抗してより後退した位置よりも小さいという事実がある。したがって、ボール３１の間の空間３６の寸法は、第２の中空シリンダ３０の位置を軸方向において変化させることによって変化し得る。
【００３５】
ボール３１の間の空間３６を増大させるために第２の中空シリンダ３０を下向きに動かす過程は、コイルバネ４０、２つの中空シリンダ２０、３０、およびボール３１によって構成されるクランプ機構を解放する過程であるものとして表される。フックデバイス１のユーザが所望されるときにそのような過程を実行することを可能にする目的のために、フックデバイス１は作動要素５０を備える。特に、作動要素５０は、端部に太い部分５２を有する細長いアーム５１を備える。図示されている例において、細長いアーム５１の数は２つである。ハウジング１０は、作動要素５０のアーム５１を受け入れるための２つの空間１４を有し、空間１４の内面１５には、段差１６が設けられている。フックデバイス１の組み立て過程において、第１の中空シリンダ２０、ボール３１を有する第２の中空シリンダ３０、およびコイルバネ４０が適所に置かれた後、作動要素５０のアーム５１の太い部分５２が空間１４の内面１５の段差１６の後ろにスナップ留めされるまで、作動要素５０をハウジングに対して押圧し、作動要素５０のアーム５１をハウジング１０の空間１４内へますます深くに動かすことによって、作動要素５０がハウジング１０に結合される。
【００３６】
作動要素５０のアーム５１は、作動要素５０の基部５３から突出しており、作動要素は、第２の中空シリンダ３０の一端を受け入れるための開口５４を有する。開口５４を画定する基部５３の内面５５には、第２の中空シリンダ３０に対する栓を構成する段差５６が設けられており、それによって、作動要素５０が第２の中空シリンダ３０と係合し、フックデバイス１の通常の向きにおける下向きの方向である方向において、ユーザが作動要素５０の基部５３に圧力を与える場合にコイルバネ４０の動作に抗する第２の中空シリンダ３０の動きを引き起こすことが可能である。作動要素５０のアーム５１が挿入される、ハウジング１０の空間１４の内面１５内の段差１６の位置が、ハウジング１０に対する作動要素５０の最大位置を決定する。言及されているような空間１４の長さは、ハウジング１０に向けて方向付けられる作動要素５０の動き、すなわち、クランプ機構を解放するための動きを可能にするのに十分である。
【００３７】
作動要素５０の作動位置およびクランプ機構の関連する解放状態において、ボール３１の間の空間３６は、キャリアワイヤ４が通過することを可能にするのに十分大きい。言及されているような空間３６とは別に、フックデバイス１は、実際には第２の中空シリンダ３０の内部空間３７、すなわち、第２の中空シリンダ３０の内面３８によって境界される空間３７によって構成される細長い貫通孔を有する。キャリアワイヤ４がフックデバイス１を通じて挿入されるとき、キャリアワイヤ４は、言及されているような貫通孔の位置においてフックデバイス１を通じて延伸するようにされる。作動要素５０が解放されると、作動要素５０および第２の中空シリンダ３０は、コイルバネ４０の影響下で上向きに動く。この過程において、ボール３１は第２の中空シリンダ３０に沿って動き、第１の中空シリンダ２０の先細り内面２１によってボール３１が互いに向けて押されるにつれて、ボール３１間の空間３６は低減する。この過程は、ボール３１が一方における第１の中空シリンダの内面２１と他方におけるキャリアワイヤ４との間に挟まれる状況が得られると、停止する。その瞬間において、キャリアワイヤ４に対するクランプ機構のクランプ動作が実現され、その結果として、ハウジング１０およびキャリアワイヤ４の相互の位置が固定される。クランプ位置において、キャリアワイヤ４の長手方向軸は、フックデバイス１の長手方向軸７と一致し、これは、中空シリンダ２０、３０およびコイルバネ４０の長手方向軸と一致する。
【００３８】
図３および図４を参照して、本発明によるフックデバイス２をここで説明する。既知のフックデバイス１の上記の説明を基礎として使用する。
【００３９】
既知のフックデバイス１と同様に、本発明によるフックデバイス２は、ハウジング１０と、第１の中空シリンダ２０と、第２の中空シリンダ３０と、いくつかのボール３１と、コイルバネ４０と、作動部材５０とを備える。本発明によるフックデバイス２のクランプ機構は既知のフックデバイス１のクランプ機構と同じように機能し、ここで、本発明によるフックデバイス１の第１の中空シリンダ２０は先細り内面２１を有し、第２の中空シリンダ３０によって保持されているボール３１はこの表面に乗っており、それによって、ボール間の空間３６が、第２の中空シリンダ３０の軸方向における位置に応じて増大または低減されることに留意されたい。
【００４０】
しかしながら、既知のフック要素１の設計および本発明によるフック要素２の設計にはいくつか大きな差があり、その結果として、後者のフック要素２は、組み立て過程が相対的に単純であり、コストが相対的に低いという利点を含む。
【００４１】
第１に、本発明によるフックデバイス２には、ネジ山がない。第１の中空シリンダ２０は平滑な外面２２を有する相対的に単純なシリンダであり、第１の中空シリンダ２０は、形態拘束によって軸方向においてハウジング内に保持され、第１の中空シリンダ２０の２つの端面は、ハウジング１０の内部部分に当接する。ハウジング１０内部の第１の中空シリンダ２０のこの構成は、既知のフックデバイス１によって行われるのと同じ方法で第１の中空シリンダ２０をハウジング１０内に挿入する過程を実行することによっては実現されないことが理解されよう。代わりに、本発明によるフックデバイス２のハウジング１０には追加の開口１７が設けられており、第１の中空シリンダ２０を開口１７を通じて半径方向に動かすことによって、第１の中空シリンダ２０はハウジング１０内部の適所に置かれる。図４の分解図は、フックデバイス２の組み立て過程の前の、ハウジング１０に対する第１の中空シリンダ２０の位置決めを示す。
【００４２】
既知のフックデバイス１において、ハウジング１０は好ましくは、第１の中空シリンダ２０とハウジング１０との間の信頼性のある接続を保証することができるように、金属（合金）のような相対的に強靭な材料から作成される。しかしながら、これは、ネジ山接続がなく接続が形態拘束に基づく、本発明によるフックデバイス２においては必要ではない。それゆえ、本発明によるフックデバイス２のハウジング１０は、プラスチックのような相対的に安価な材料から作成することができる。作動要素５０のアーム５１を受け入れ収容するための空間１４を含む、様々な空間がハウジング１０内部に存在することに起因して、ハウジング１０は軽量にすることができ、壁厚を相対的に小さくすることができる。
【００４３】
第２に、本発明によるフックデバイス２の第２の中空シリンダ３０は、既知のフックデバイス１の第２の中空シリンダ３０よりも単純な形態において具現化することができる。特に、外面３３は先細り部分３２を有しない。代わりに、第２の中空シリンダ３０の外径は、第２の中空シリンダ３０の長さに沿って単純に一定である。図示されている例における事例のように、開口３５が、軸方向における中心位置である、第２の中空シリンダ３０内の位置に配置されるとき、フックデバイス２の組み立て過程の間に第２の中空シリンダ３０の一定の向きを考慮に入れる必要はなく、それによって、組み立て過程が単純化される。
【００４４】
本発明によるフックデバイス２において、第１の中空シリンダ１は、第２の中空シリンダ３０およびコイルバネ４０がハウジング１０から抜け落ちるのを防止する機能を有しない。代わりに、この機能は、作動要素５０によって実行される。
【００４５】
本発明によるフックデバイス２の組み立て過程は、以下のステップを含む。最初に、第１の中空シリンダ２０を半径方向において追加の開口１７を通じて動かすことによって、第１の中空シリンダ２０がハウジング１０内に挿入される。第１の中空シリンダ２０が正確な位置に入ると、コイルバネ４０、および、ボール３１を有する第２の中空シリンダ３０が、続いて軸方向においてハウジング１０内に挿入される。その後、作動要素５０がハウジング１０に結合され、これによって、第２の中空シリンダ３０もハウジング１０に固定され、第２の中空シリンダ３０がハウジング１０から抜け落ちる危険なく、限られた距離に沿って軸方向に動くことが可能になる。完全を期すために、代替形態として、可能性としてコイルバネ４０が存在しても第１の中空シリンダ２０の挿入は妨げられないため、まず第１にコイルバネ４０がハウジング１０内に挿入されることも可能であることに留意されたい。
【００４６】
本発明によるフックデバイス２の組み立て過程は、ネジ山接続を確立する必要がないという事実に起因して、既知のフックデバイス１の組み立て過程よりも単純である。事実、組み立て過程全体を道具を使用することなく実行することができ、これは既知の状況には当てはまらないことである。第１の中空シリンダ２０のみに関する限りでは、正確な向きが選択されることを確実にするための方策をとることが重要であり、これは、フックデバイス２の通常の向きにおいては上側である側において内面２１の直径が最小である向きである。正確な組み立てを保証する目的のために、任意の適切なタイプの指標が第１の中空シリンダ２０の外面２２上に配置されてもよく、これは、たとえば、一定の中心でない位置にある突起であってもよい。
【００４７】
本発明の範囲は、上記で説明した例に限定されず、添付の特許請求の範囲において規定されているような本発明の範囲から逸脱することなくいくつかの変形形態および変更形態が可能であることは、当業者には明らかであろう。
【００４８】
ハウジング１０上に配置され、懸吊フックとしての役割を果たすように意図されている突起１１は、フックデバイス２から懸吊されるべき物体３上に配置されるワイヤ６などを支持および保持するための任意の適切な形状を有してもよい。これに関連して、突起１１はノブなどのような形状でさえあってもよいことに留意されたい。フックデバイス２の通常の向きは、突起１１が物体３を担持することが可能である向きである。いずれにせよ、フックデバイス２の通常の向きは、第１の中空シリンダ２０の内面２１が収束する方向が上向きの方向である向きである。
【００４９】
クランプ機構、特に第２の中空シリンダ３０に対する付勢動作を実行するためにフックデバイス２がコイルバネ４０を備える必要はないことに留意されたい。代わりに、たとえば、板バネを含む、任意の他の適切なタイプの付勢手段が使用されてもよい。
【００５０】
本発明は、以下のように要約することができる。絵画用額縁のような物体３を懸吊するためのフックデバイス２はハウジング１０を備え、これは、フックデバイス２のキャリア４がハウジング１０を通じて延伸することを可能にするための内部空間を有する。実際の実施形態において、ハウジング１０には、懸吊フックとして機能するように設計されている突起１１が設けられる。フックデバイス２は、ハウジング１０をキャリア４上に固定するためのクランプ機構をさらに備え、クランプ機構は、先細り内面２１を有する第１の中空シリンダ２０と、その開口３５内にいくつかのボール３１を担持する第２の中空シリンダ３０であって、ボール３１の位置において第１の中空シリンダを通じて延伸する、第２の中空シリンダ３０と、第１の中空シリンダ２０の内面２１が収束する方向において第２の中空シリンダ３０を付勢するためのコイルバネ４０または別の弾性要素とを備える。
【００５１】
さらに、フックデバイス２には作動要素５０が設けられ、それによって、フックデバイス２のユーザは、クランプ機構を解放するために、第２の中空シリンダ３０を、コイルバネ４０の付勢動作に抗して動かすことができる。クランプ機構は本来既知であるように機能し、ボール３１は、コイルバネ４０の動作の影響下でフックデバイス２、特に第２の中空シリンダ３０を通じて延伸するキャリア４に対して押圧され、第１の中空シリンダ２０の先細り内面２１に接することに留意されたい。
【００５２】
軸方向において、第１の中空シリンダ２０は形態拘束によってハウジング１０内に保持される。作動要素５０は、ユーザが第２の中空シリンダ３０を動かしてその方法においてクランプ機構を解放することを可能にする機能に加えて、コイルバネ４０および第２の中空シリンダ３０がハウジング１０から同じ方向に抜け落ちることを防止する機能を有する。本発明のこれらの態様に起因して、プラスチックから作成されるハウジング１０を有することが可能である。また、フックデバイス２の要素の相対的に単純な設計を有すること、および、フックデバイス２の相対的に単純な組み立て過程を有することが可能であり、それによって、コストを節約することができる。言及されているような組み立て過程の間、第１の中空シリンダ２０は、コイルバネ４０および第２の中空シリンダ３０とは別の開口１７を通じてハウジング１０内に挿入され、この開口１７は、特に第１の中空シリンダ３０の、ハウジング１０の外部からハウジング１０内部への通路を有する目的で設けられ、ここで、第１の中空シリンダ２０は、半径方向、すなわち、フックデバイス２の長手方向軸７に垂直な方向において動かされる。これは、軸方向において動かすことによって別の位置においてハウジング１０に挿入され、ハウジング１０に結合される、フックデバイス２の他の要素３０、４０、５０とは異なる。
【図１】
2015527538.tif 000003
【図２】
2015527538.tif 000004
【図３】
2015527538.tif 000005
【図４】
2015527538.tif 000006
【図５】
2015527538.tif 000007
【図６】
2015527538.tif 000008
【国際調査報告】
2015527538.tif 000009
2015527538.tif 000010